(57)【要約】【課題】内部に冷却通路を備えた製氷板２の複数枚を、鉛直又は略鉛直の姿勢で互いに平行又は略平行に並べて配設し、前記各製氷板２の表面２ａ，２ｂで氷を板状に成長し、この板状氷５を、前記製氷板の表面から剥離・落下するようにしたハーベスト式製氷装置において、前記製氷板から剥離・落下する途中の板状氷を細かく破砕することを、低い落下高さで行う。【解決手段】前記製氷板２の下方に、その表面から剥離・落下する板状氷に対する衝突板６を、前記製氷板の下端縁２ｃに沿って延びるように配設し、この各衝突板を、前記製氷板の表面と直角の水平又は略水平方向から見て一端部が製氷板に近接し他端部が製氷板から離れるように適宜角度θ１に傾斜するとともに、前記製氷板における表面と平行の水平又は略水平方向から見て製氷板における表面に対して適宜角度θ２に傾斜する。【選択図】　　　　　　　　　図３
2004003734.tif 000002
【特許請求の範囲】
【請求項１】
内部に冷却通路を備えた製氷板の複数枚を、鉛直又は略鉛直の姿勢で互いに平行又は略平行に並べて配設する一方、前記各製氷板における上端部の表面への水散布手段を備えて成るハーベスト式製氷装置において、
前記各製氷板の下方に、当該製氷板における表面から剥離・落下する板状氷が衝突する衝突板を、前記製氷板における下端縁に沿って延びるように配設し、この各衝突板を、前記製氷板の表面と直角の水平又は略水平方向から見て当該衝突板における一端部が製氷板に近接し他端部が製氷板から離れるように傾斜するとともに、前記製氷板における表面と平行の水平又は略水平方向から見て製氷板における表面に対して傾斜することを特徴とするハーベスト式製氷装置における板状氷の破砕装置。
【請求項２】
前記請求項１の記載において、前記各衝突板のうち互いに隣接する両衝突板を、前記製氷板における表面と平行の水平又は略水平方向から見たときにおける傾斜を互いに逆向きにして、山型の断面にするように連結することを特徴とするハーベスト式製氷装置における板状氷の破砕装置。
【請求項３】
前記請求項１の記載において、前記各衝突板のうち互いに隣接する両衝突板を、前記製氷板における表面と平行の水平又は略水平方向から見たときにおける傾斜を互いに逆向きにして、Ｖ字型の断面にするように連結することを特徴とするハーベスト式製氷装置における板状氷の破砕装置。
【請求項４】
前記請求項１の記載において、前記各衝突板を、前記製氷板における表面と平行の水平又は略水平方向から見たときにおける傾斜を隣接同士互いに逆向きにして、波型の断面にするように連結することを特徴とするハーベスト式製氷装置における板状氷の破砕装置。
【発明の詳細な説明】
【０００１】
【発明の属する技術分野】
本発明は、ハーベスト式の製氷装置において、その製氷板の表面から剥離・落下する板状氷を、その落下中において所定の大きさ以下に細かく破砕する装置に関するものである。
【０００２】
【従来の技術】
一般に、この種のハーベスト式の製氷装置は、例えば、特開平８−２６１６１４号公報及び特開平１１−３２５６７８号公報等に記載されているように、鉛直の姿勢で互いに平行に並べて複数枚の製氷板を、その内部に冷媒を流すことによって氷点下に冷却し、この各製氷板における表面に、水を供給することで氷を板状に成長し、この板状氷の厚さが或る値以上に成長すると、この板状氷を、前記各製氷板を温めることで各製氷板の表面から剥離・落下することを繰り返すように構成したものである。
【０００３】
そして、前記ハーベスト式の製氷装置においては、前記複数枚の各製氷板における表面で成長し、この各製氷板における表面から剥離・落下する板状氷を、前記製氷板群の下方の配設した蓄熱槽内に受け入れて、冷房等における冷熱源として使用するか、或いは、前記蓄熱槽内に受け入れることなく取り出して、雪の製造等に使用することを行うようにしているが、このいずれの場合においても、前記板状氷は、前記各製氷板における表面から剥離・落下する途中において、所定の大きさ以下に細かく破砕する必要がある。
【０００４】
この場合において、従来の製氷装置では、前記製氷板群の下方に、横バーを設けて、前記各製氷板における表面から剥離・落下する板状氷を、この横バーに衝突することによって、細かく破砕するように構成している。
【０００５】
【発明が解決しようとする課題】
しかし、このように、各製氷板における表面から剥離・落下する板状氷を、その落下の途中で横バーに対して衝突という破砕の方法では、この板状氷には、横バーへの衝突による衝撃力が鉛直方向のみにしか作用しないので、この板状氷を、所定の大きさ以下に細かく破砕するには、横バーに対する板状氷の衝突による衝撃力を強くしなければならず、この衝突による衝撃力を強くするためには、前記製氷板群の下端から前記横バーまでの鉛直高さ寸法、つまり、各製氷板から剥離・落下する板状氷が横バーに衝突するまでの落下高さを可成り高くしなければならないから、製氷装置における全体の高さが大幅に高くなり、製氷装置が大型化するという問題があった。
【０００６】
しかも、製氷板から剥離・落下する板状氷を、その落下の途中で横バーに衝突するという破砕の方法では、その破砕した氷を、前記製氷板群の下部に配設されている蓄熱槽に入れることなく取り出して、雪の製造等に使用する場合には、前記横バーの下方に、破砕した氷を、蓄熱槽に入れることなく取り出するためのシュート等の手段を別に配設しなければならないので、製氷装置における構造が複雑化するばかりか、その全体の高さが更に高くなるという問題があった。
【０００７】
本発明は、この問題を解消した板状氷の破砕装置を提供することを技術的課題とするものである。
【０００８】
【課題を解決するための手段】
この技術的課題を達成するため本発明の請求項１は、
「内部に冷却通路を備えた製氷板の複数枚を、鉛直又は略鉛直の姿勢で互いに平行又は略平行に並べて配設する一方、前記各製氷板における上端部の表面への水散布手段を備えて成るハーベスト式製氷装置において、
前記各製氷板の下方に、当該製氷板における表面から剥離・落下する板状氷が衝突する衝突板を、前記製氷板における下端縁に沿って延びるように配設し、この各衝突板を、前記製氷板の表面と直角の水平又は略水平方向から見て当該衝突板における一端部が製氷板に近接し他端部が製氷板から離れるように傾斜するとともに、前記製氷板における表面と平行の水平又は略水平方向から見て製氷板における表裏両面に対して傾斜する。」
ことを特徴としている。
【０００９】
また、本発明の請求項２は、
「前記請求項１の記載において、前記各衝突板のうち互いに隣接する両衝突板を、前記製氷板における表面と平行の水平又は略水平方向から見たときにおける傾斜を互いに逆向きにして、山型の断面にするように連結する。」
ことを特徴としている。
【００１０】
更にまた、本発明の請求項３は、
「前記各衝突板のうち互いに隣接する両衝突板を、前記製氷板における表面と平行の水平又は略水平方向から見たときにおける傾斜を互いに逆向きにして、山型の断面にするように連結する。」
ことを特徴としている。
【００１１】
加えて、本発明の請求項４は、
「前記請求項１の記載において、前記各衝突板を、前記製氷板における表面と平行の水平又は略水平方向から見たときにおける傾斜を隣接同士互いに逆向きにして、波形の断面にするように連結する。」
ことを特徴としている。
【００１２】
【発明の作用・効果】
前記した請求項１の構成において、各製氷板における表面から剥離・落下する板状氷は、その落下の途中において、前記各製氷板の下方にその下端縁に沿って延びるように配設した衝突板に対して衝突する。
【００１３】
この場合において、前記衝突板を、製氷板の表面と直角の水平又は略水平方向から見て一端部が製氷板に近接し他端部が製氷板から離れるように傾斜したことにより、前記落下の途中における板状氷は、当該板状氷における四つの隅角部のうち下端における一方の隅角部が、前記衝突板に対して最初に衝突するから、前記板状氷の破砕は、この下端縁における一方の隅角部から始まって、下端縁における他方の隅角部に向かって順次進行することになる。
【００１４】
これに加えて、前記衝突板を、製氷板における表面と平行の水平又は略水平方向から見て製氷板における表面に対して傾斜したことにより、前記板状氷が前記衝突板に対して衝突したとき、この板状氷には、前記衝突板における前記した傾斜にて横向きの外力が作用するから、前記板状氷の破砕には、この横方向への外力が加算されることになる。
【００１５】
つまり、本発明は、前記落下中における板状氷の破砕を、当該板状氷が衝突する衝突板を製氷板の表面と直角の水平又は略水平方向から見て一端部が製氷板に近接し他端部が製氷板から離れるように傾斜することと、前記衝突板を前記製氷板における表面と平行の水平又は略水平方向から見て製氷板における表面に対して傾斜することとの両方によって行うものであることにより、前記板状氷を所定の大きさ以下に細かく破砕することに必要な落下高さを、前記従来のように、単に横バーに対して衝突する場合よりも遥かに低くすることができるから、製氷装置における全体の高さを低く、ひいては、製氷装置を大幅に小型・軽量化できる。
【００１６】
この場合において、前記各衝突板には、各製氷板から剥離して落下する板状氷が衝突することにより、この各衝突板に所定の強度を持たせることが必要である。
【００１７】
そこで、本発明においては、請求項２に記載したように、前記各衝突板のうち隣接する両衝突板を、山型の断面にするように連結することを提案するものであり、これにより、各衝突板における強度をアップできて、ひいては、その厚さを薄くできるから、より軽量化を図ることができる利点を有する。
【００１８】
この場合において、請求項３に記載したように、前記各衝突板のうち隣接する両衝突板を、前記請求項２のように山型の断面にするように連結することに代えて、請求項３に記載したように、Ｖ字型の断面にするように連結するという構成したときには、前記請求項２による効果に加えて、以下に述べる効果を奏する。
【００１９】
すなわち、互いにＶ字型の断面に連結した両衝突板が、一つの上面開放型の受け樋を構成し、この両衝突板への衝突にて細かく破砕した氷は、この両衝突板が構成する一つの受け樋内に集められ、そして、この受け樋内をその長手方向に滑り落ちることになるから、各製氷板からの板状氷を細かく破砕することと、この破砕した氷を、前記製氷板群の下方に設置されている蓄熱槽に入れることなく取り出することとを同時に行うことができるから、各製氷板からの板状氷を細かく破砕したのち取り出すように構成する場合に、装置における構造の簡単化と、装置の小型・軽量化を達成できる。
【００２０】
加えて、請求項４のように構成することにより、全部の衝突板を、一枚の波板にすることができるから、前記した請求項３による効果に加えて、部品点数を少なくできる利点がある。
【００２１】
【発明の実施の形態】
以下、本発明の実施の形態を、図面について説明する。
【００２２】
図１〜図３は、第１の実施の形態を示す。
【００２３】
この図において、符号１は、ハーベスト式製氷装置における製氷板群を示し、この製氷板群１は、内部に冷媒が流れる通路を形成して成る製氷板２の複数枚を、鉛直又は略鉛直の姿勢で互いに平行又は略平行に並べて配設したものに構成されており、また、この製氷板群１には、前記各製氷板２における上部の表面２ａ，２ｂに対して水を散布するための水散布パイプ３を備えており、更にまた、前記製氷板群１の下方には、当該製氷板群１における各製氷板２の表面２ａ，２ｂに成長した板状氷５を受け入れるための蓄熱槽４が配設されている。
【００２４】
すなわち、このハーベスト式製氷装置は、その製氷板群１における各製氷板２を、冷媒の供給によって氷点下以下に冷却し、この状態でその表面２ａ，２ｂに、水散布パイプ３より水を供給・散布することで氷を板状に成長し、この板状氷５の厚さが或る値以上に成長すると、前記各製氷板２を、これに対する冷媒の供給を止めて温めることにより、その表面２ａ，２ｂから剥離・落下して、前記蓄熱槽４内に受け入れることを繰り返して行う。
【００２５】
そして、前記製氷板群１における各製氷板２の下部で、且つ、前記蓄熱槽４より上方の部位には、前記各製氷板２の表面２ａ，２ｂから剥離・落下する板状氷５がその落下の途中において衝突する衝突板６を、当該衝突板６が前記各製氷板２における下端縁２ｃに沿って延びるように配設する。
【００２６】
この各衝突板６を、前記製氷板２の表面２ａ，２ｂと直角の水平又は略水平方向から見た図１において、当該衝突板６における一端部が製氷板２に近接し他端部が製氷板２から離れるように、水平面に対して適宜角度θ１に傾斜する。
【００２７】
これに加えて、前記各製氷板２における表面２ａ，２ｂと平行の水平又は略水平方向から見た図２において、製氷板２における表面２ａ，２ｂに対して適宜角度θ２に傾斜する。
【００２８】
この構成において、前記製氷板群１における各製氷板２の表面２ａ，２ｂから剥離・落下する板状氷５は、その落下の途中において、前記各製氷板２の下方にその下端縁２ｃに沿って延びるように配設した衝突板６に対して衝突し、この衝突にて破砕されたのち、その下方における蓄熱槽４内に入る。
【００２９】
このとき、前記衝突板６を、製氷板２の表面２ａ，２ｂと直角の水平又は略水平方向から見て一端部が製氷板２に近接し他端部が製氷板２から離れるように水平面に対して適宜角度θ１に傾斜したことにより、前記落下の途中における板状氷５は、図１に二点鎖線で示すように、当該板状氷５における四つの隅角部のうち下端における一方の隅角部が、前記衝突板６に対して最初に衝突するから、前記板状氷５の破砕は、この下端縁における一方の隅角部から始まって、下端縁における他方の隅角部に向かって順次進行することになる。
【００３０】
しかも、前記各衝突板６を、製氷板２における表面２ａ，２ｂと平行の水平又は略水平方向から見て製氷板２における表面２ａ，２ｂに対して適宜角度θ２に傾斜したことにより、前記板状氷５が前記衝突板６に対して衝突したとき、この板状氷５には、図３に示すように、前記衝突板６における前記した傾斜にて横向きの外力が作用するから、前記板状氷５の破砕には、この横方向への外力が加算されることになる。
【００３１】
つまり、前記落下中における板状氷５の破砕を、当該板状氷５が衝突する衝突板６を製氷板２の表面２ａ，２ｂと直角の水平又は略水平方向から見て一端部が製氷板２に近接し他端部が製氷板２から離れるように水平面に対して適宜角度θ１に傾斜することと、前記衝突板６を前記製氷板２における表面２ａ，２ｂと平行の水平又は略水平方向から見て製氷板２における表面２ａ，２ｂに対して適宜角度θ２に傾斜することとの両方によって行うことができるから、前記板状氷５を所定の大きさ以下に細かく破砕することに必要な落下高さを、前記従来のように、単に横バーに対して衝突する場合よりも遥かに低くすることができる。
【００３２】
なお、前記衝突板６における水平面に対する傾斜角度θ１は、１０〜３０度にすることが好ましく、この傾斜角度θ１が１０度未満である場合には、これに対する衝突によって板状氷５を破砕することの効果が不十分であり、また、この傾斜角度θ１が３０度を越える場合には、製氷板群１における各製氷板２と蓄熱槽４との間に、十分な高さ空間を確保しなければならないから、全体の高さが高くなる。
【００３３】
一方、前記衝突板６における製氷板２の表面２ａ，２ｂに対する傾斜角度θ２は、その最小限が２０度でありこれ以上にすることが好ましい。
【００３４】
この第１の実施の形態においては、各衝突板６を、各製氷板２の各々について別々に構成することに代えて、以下に述べるように構成することができる。
【００３５】
すなわち、前記各製氷板２の各々に対する衝突板６のうち互いに隣接する両衝突板６を一対とし、この一対の両衝突板６を、前記製氷板２の表面２ａ，２ｂと平行の水平又は略水平方向から見たときにおける傾斜を互いに逆向きにして、山型の断面にするように連結するという構成にする。
【００３６】
もちろん、このように、一対の両衝突板６を互いに逆向きの傾斜にして山型の断面に連結するという構成には、一枚の板材を、山型の断面に折り曲げることによって、互いに逆向きに傾斜する両衝突板６を形成することを含むものである。
【００３７】
このように、一対の両衝突板６を互いに逆向きの傾斜にして山型の断面に連結するという構成にすることにより、各衝突板６における強度をアップできて、ひいては、その厚さを薄くできるとともに、各衝突板６を組み付けることの手数を軽減できる。
【００３８】
次に、図４及び図５は、第２の実施の形態を示す。
【００３９】
この第２の実施の形態は、前記製氷板群１における各製氷板２の各々に対する衝突板６のうち互いに隣接する両衝突板６を一対とし、この一対の両衝突板６を、前記製氷板２の表面２ａ，２ｂと平行の水平又は略水平方向から見たときにおける傾斜を互いに逆向きにして、Ｖ字型の断面にするように連結するという構成にしたものである。
【００４０】
もちろん、このように、一対の両衝突板６を互いに逆向きの傾斜にしてＶ字型の断面に連結するという構成には、一枚の板材を、Ｖ字型の断面に折り曲げることによって、互いに逆向きに傾斜する両衝突板６を形成することを含む。
【００４１】
このように構成することで、両衝突板６における強度をアップすることができるのであり、これに加えて、互いにＶ字型の断面に連結した両衝突板６が、一つの上面開放型の受け樋を構成し、この両衝突板６への衝突にて細かく破砕した氷は、この両衝突板６が構成する一つの受け樋内に集められ、そして、この受け樋内をその長手方向に滑り落ちることになる。
【００４２】
そこで、前記各衝突板６における下端部を、図５に実線で示すように、蓄熱槽４内に位置することにより、細かく破砕した氷を蓄熱槽４内に受けることができ、また、前記各衝突板６における下端部を、図５に二点鎖線で示すように、前記蓄熱槽４の外にまで延長することにより、各衝突板６への衝突にて破砕した氷を、前記蓄熱槽４に入れることなく、別に取り出することができるのである。
【００４３】
そして、この第２の実施の形態においては、各衝突板６を、一対ずつＶ字型の断面に連結することに代えて、図７に示すように、前記製氷板２における表面２ａ，２ｂと平行の水平又は略水平方向から見たときにおける傾斜を隣接同士互いに逆向きにして、波形の断面にするように連結するという構成にすることができる。
【００４４】
もちろん、このように、各衝突板６を隣接同士互いに逆向きの傾斜にして波型の断面に連結するという構成には、一枚の板材を、波型の断面に折り曲げることによって、隣接同士互いに逆向きに傾斜する各衝突板６を形成することを含むものである。
【００４５】
このように構成することにより、前記図５及び図６の場合と同じ効果を得ることができることに加えて、総ての衝突板６を一つの部品にすることができるから、部品点数を少なくできる。
【００４６】
特に、各衝突板６を、図６に示すように、各衝突板６を、一対ずつＶ字型の断面に連結するか、或いは、図７に示すように、総ての衝突板６を、波型の断面に連結するという構成にした場合、これら構成の各衝突板６にて破砕された氷には、前記各製氷板２の表面に対して水散布パイプ３より供給・散布された水が混ざることになる。
【００４７】
この場合において、破砕された氷を、これに含まれる水を除いた状態で取り出すように構成するときには、図８に示す第３の実施の形態のように構成すれば良い。
【００４８】
すなわち、Ｖ字型の断面又は波型の断面に連結した各衝突板６の下端部を、蓄熱槽４内に位置する一方、この各衝突板６の下面側に、例えば、簀の子板又は孔あき板或いは金網等のように、氷を上面に残し水のみを下方に流れ落すようにした濾過部材７を、当該濾過部材７が前記蓄熱槽４の外にまで延びるように傾斜状に配設する。
【００４９】
この構成において、Ｖ字型の断面又は波型の断面に連結した各衝突板６の上面で破砕された氷が、各衝突板６の上面を滑り落ちて、濾過部材７の箇所を通過することき、これに含まれる水は、濾過部材７を濾過して蓄熱槽４に入るように分離できるから、破砕された氷のみを取り出すことができるのである。
【図面の簡単な説明】
【図１】本発明による第１の実施の形態を示す縦断正面図である。
【図２】図１のＩＩ−ＩＩ視断面図である。
【図３】図２の要部を示す拡大図である。
【図４】前記第１の実施の形態の変形例を示す図である。
【図５】第２の実施の形態を示す要部縦断正面図である。
【図６】図５のＶＩ−ＶＩ視拡大断面図である。
【図７】前記第２の実施の形態の変形例を示す図である。
【図８】第３の実施の形態を示す要部縦断正面図である。
【符号の説明】
１　　　　　　　　　　　　製氷板群
２　　　　　　　　　　　　製氷板
２ａ，２ｂ　　　　　　　　製氷板の表面
２ｃ　　　　　　　　　　　製氷板の下端縁
３　　　　　　　　　　　　水散布パイプ
４　　　　　　　　　　　　蓄熱槽
５　　　　　　　　　　　　板状氷
６　　　　　　　　　　　　衝突板
７　　　　　　　　　　　　濾過部材
【図１】
2004003734.tif 000003
【図２】
2004003734.tif 000004
【図３】
2004003734.tif 000005
【図４】
2004003734.tif 000006
【図５】
2004003734.tif 000007
【図６】
2004003734.tif 000008
【図７】
2004003734.tif 000009
【図８】
2004003734.tif 000010